(57)【要約】【課題】    強烈な日差しを避けることが出来、その上見た目にも美しく、短時間で容易に設置できる。【解決手段】    短冊形の布を張り、蔓状植物を真似たプラスチック製の葉や花を絡めた網を、組み立て解体が容易な支柱に取り付け、短時間で設置出来るようにする。【選択図】図１
2018009431.tif 000002
【特許請求の範囲】
【請求項１】
網の目の中に、同形同寸の短冊形をした布を組んで張り、蔓状植物に似せて造ったプラスチック製の葉や花を絡めた網を、道路脇等に埋めて固定した筒状の支持体により支えられ、しかも脱着が可能な支柱に取り付け、短時間で容易に組み立て解体が出来る、歩道等の上を覆う天幕，
【発明の詳細な説明】
【技術分野】
【０００１】  本発明は、藤棚のように見て美しく涼しげで、手間暇も掛からず維持補修が容易な、布を張り草花をあしらった網と、それを支える短時間で取り付け取り外しが出来るパイプからなる、歩道等に組み立てる天幕に関するものである。
【背景技術】
【０００２】  網の目の中に、形も大きさも同じ短冊形をした布を張った網を背景に、蔓状植物に似せて造ったプラスチックの葉や花をあしらい絡ませた覆いを、容易に脱着可能な柱に取り付け、短時間で組み立て解体が出来る歩道等の頭上に施設する天幕，
【発明の開示】
【発明が解決しようとする課題】
【０００３】  夏のギラギラした日差しを避け、女性がパラソルを差して歩く姿は絵にはなっても手荷物が増え不便に違いない。ならば歩道の上にテントを張れば確かに厳しい直射日光は避けることが出来ても、あまり美しいとも言えず鬱陶しくもある。【０００４】  そこで見て美しく涼しげで、手間暇が掛からず短時間で組み立て解体が容易に出来、しかも咄嗟に起こる災害にも十分対処が出来て費用は嵩まない天幕を目標とする。
【課題を解決するための手段】
【０００５】  この１０年、壁面を鉢植えの草花で飾っている都会のビルや空港の建物が、国の内外を問わず目立つようになったが、生き生きとしていて見るだけでも涼しげで心が和む。【０００６】  また最近、建物の内部には蔦等の植物が壁面を覆っている所も良く見かける。ニセモノではないかと疑い近づいてよく見ると、果たして蔓状植物等を真似たプラスチック製の葉や花ではあるが、特段悪い気にはならない。【０００７】  生きた草花を個人の庭で世話するのと違い、公共の歩道等で育てることは案外手間が掛かり費用も掛かる。そこで、草花に似せたプラスチック製の葉や花を利用することも一考で、それはまた突然の災害にも対処し易く都合が良い。【０００８】  この蔓状の植物に似せたプラスチック製の草花は、乳幼児の掌程の大きさの葉や花と太さ６ｍｍ程度の蔓からなり、葉の色は深緑から若葉色まで数種類あり、それぞれに濃淡、大きさも数種、また少し形にもバラエティーがあるので、全体として数十通りの選択が可能である。【０００９】  その取り付け方法は、蔓の部分を網の目の部分にＳ字形のフックでつり下げ、要所要所をＣ字形と逆Ｃ時形の特別なフックに取り付け吊り下げる。これらのフックはプラスチック製とする。【００１０】  尚、Ｃ字形と逆Ｃ時形のフックは丁度プラスチック容器の身と蓋の様に成っていて、それぞれの字の隙間から蔓と網の糸を通した後で、容器の蓋を閉めるようにして固定し、また外す時はその逆の要領で簡単に外せる。【００１１】  此の様にして蔓状植物を真似て造ったプラスチック製の葉や花を、網に張った布を絵の背景にし、あしらう。【００１２】  その網に張った布とは、軽く丈夫で雨等の濡れにも強く、また強烈な直射日光にも耐える長さ１９ｃｍ、幅４ｃｍの短冊形をした化学繊維製の布で、縦横それぞれに４枚ずつ等間隔で平織りのように組み、一辺が２０ｃｍの正方形をした網の目の中に取り付ける。【００１３】  この短冊形の布の両端にはそれぞれ右又は左に寄せた幅１８ｍｍ、長さ１０ｍｍの耳が付いていて、釣り糸等を使った網を巻き込むように取り付ける。【００１４】  このようにして出来た網を、道路脇等に常設した支持で支えられた口径８０ｍｍの鉄パイプに取り付ける。このパイプはその用を満足させる事が出来れば他の材質でも特に問題は無いが、塗装を施した鉄パイプが手に入れ易く、美観を壊さず費用も抑えられる。【００１５】  支柱を支持する根入れ部分は、地中に埋めた鉄又はプラスチック製の筒で、全体の長さの１／６に相当し、その周りをコンクリートで固めた穴である。【００１６】  歩道に取り付ける場合は地上３ｍは欲しい所であるが、電線等に関する様々な法律も有り、制約があるのでそれぞれの地域に合わせる。【００１７】  春から秋にかけて、この組み立て解体が素早く容易に出来る天幕を使う時は、道路脇等に常設している支持用の穴に支柱を入れ網を張る。秋から春にかけて使用しない時は解体しコンパクトに収容出来る。季節が巡り再び使う時は容易に組み立てが可能で、このことは台風等の緊急時に被害を最小に押さえられることを意味する。【００１８】  常設している筒状の穴を使わない時は、路面の入り口を蓋するだけでなく、筒状の穴にピッタリした容器を入れ砂、雨水等��ら保護すると再使用する時に不都合がない。【００１９】  道路脇等に造る常設の穴は隙間なく支柱を支えるとは言え、支柱の円周に幅１ｍｍ程の遊びはある。また支柱が不用意に回転しないように、穴の入り口部分には等間隔で３個、或は６個の切れ込みが有り、その部分に支柱に付けた羽のような出っ張りがピッタリと嵌り込むようにするのも悪く無いが、支柱の耐力及び工程や費用に付いては検討する。【００２０】  その筒状の穴は鉄やステンレス又はプラスチック製で、周りをコンクリートで固める。
【発明の効果】
【００２１】  まず、夏のギラギラした日差しを避ける事ができ、格子状に張った布の小さな隙間を通して微風は逃げ、少しとは言え上空が覗ける事で圧迫感が無い。燦々と輝くと言うよりもジリジリと焼き付ける太陽は御免被りたいし、例え弱い風であったとしても布を張る事でテント状の覆いが風をはらみ危険な状態になるのは避けたい。また空港の長い通路等では特に顕著だが、何の細工も無い低い天井に因る圧迫感は相当である。低ければ低いなりに工夫を凝らせば然程不愉快にもならないし、事によると安心感さえ抱く。このことは電線が張り巡らされている地域では、法律上の問題も有り特に大事なことである。【００２２】  この布を張った網も、それを支える支柱も取り付け取り外しが容易に短時間で出来るので、使わない時は保管できる。
【発明を実施するための最良の形態】
【００２３】  網に張る短冊形の布は白無地が良いが、縦用と横用で少し色合いを変えて組むのも悪くない。【００２４】  設置する場所の多くは歩道であるので、送電線の危険はまず考えられないが、雷や配電線に因る被害を避ける為の措置は考慮する。【００２５】  頭上に張る物なので万が一の事も有り、網は軽く丈夫でしなやかな素材が良く、釣り糸や３条または７条に撚った細いロープ、場合によりワイヤー等設置する場所や状況に合わせる。【００２６】  通路の天井が低いと圧迫感があるので、少しとは言え小さな隙間から空が仰ぎ見られることで重苦しさから免れる。日差しを遮る目的からは若干外れるが、布を張った網の目を市松模様にすることで空がよく見え、視覚的な圧迫感からも解放され、更に風の通りも良くなり風圧の影響も押さえられる。【００２７】  幅が４ｃｍで長さが１９ｃｍの短冊形をした布は、一辺が２０ｃｍをした網の目に取り付ける為に、その両端には右または左に寄せた長さ１ｃｍ、幅１．８ｃｍの耳が付いている。【００２８】  道路脇等の地中に埋めて固定した筒状の支持体により支えられた支柱の根入れ部分は、地表に近い所のみ３枚又は６枚の羽のような出っ張りを付け、支柱が回転しないようにする事も一案である。但し、その為の工程や費用の追加に見合うか、また回転方向の力に十分耐えられるか見極める必要がある。
【図面の簡単な説明】
【００２９】
【図１】  網
【符号の説明】
【００３０】１            網（市松模様にした場合。）
２            短冊形をした布
３            網に取り付ける為の布の耳
４            蔓状植物を真似たプラスチック製の葉や花
５            取り付け用のＳ字形フック
６            取り付け用のＣ字形と逆Ｃ字形を組み合わせたフック
【図１】
2018009431.tif 000003